(57)【要約】【課題】透光パネルの強度を確保して、配光を均一にすることができる照明器具を提供する。【解決手段】器具本体２０の下面２０２に対向して設けられているＬＥＤ光源４１から器具本体２０の内側に向けて照射される光軸ＬＢを、透光パネル５０側に傾ける。そして、透光パネル５０の板厚を変えず、透光パネル５０におけるＬＥＤ光源４１の光軸ＬＢが投影される箇所に拡散部５４を設けたので、透光パネル５０の強度を確保しつつ、透光パネル５０を均一に発光させることができる。【選択図】図６
2012178318.tif 000002
【特許請求の範囲】
【請求項１】
被取付面に取り付けられる器具本体と、
前記器具本体の下面に対向して設けられて前記器具本体の内側に光を照射するＬＥＤ光源と、
前記ＬＥＤ光源の光を受けて照明方向へ光を発する透光パネルと、を有し、
前記ＬＥＤ光源の光軸を前記透光パネル側に傾け、
前記透光パネルにおける前記ＬＥＤ光源の光軸が投影される箇所に拡散部を設けた照明器具。
【請求項２】
請求項１に記載の照明器具において、
前記拡散部は、前記透光パネルにおいて前記ＬＥＤ光源から遠い中央部と前記ＬＥＤ光源に近い端部とで光透過率を変化させた照明器具。
【請求項３】
請求項１または請求項２に記載の照明器具において、
前記拡散部は凹凸形状により形成された照明器具。
【請求項４】
請求項３に記載の照明器具において、
前記凹凸形状は、前記透光パネルにおいて前記ＬＥＤ光源から遠い中央部では小さく形成され、前記ＬＥＤ光源に近い端部では大きく形成された照明器具。
【請求項５】
請求項４に記載の照明器具において、
前記凹凸形状は、前記透光パネルの内面に形成された照明器具。
【発明の詳細な説明】
【技術分野】
【０００１】
本発明は、ＬＥＤ（発光ダイオード）を光源として用い、主に天井面に取り付けられて下方を照明する照明器具に関するものである。
【背景技術】
【０００２】
従来より、ＬＥＤを光源として用い、天井面に取り付けられて下方を照明する照明器具が知られている（例えば、特許文献１参照）。
図７に示すように、特許文献１に記載の照明器具１００は、天井面１０１に設置される器具本体１０２、複数のＬＥＤを備えた光源体１０３、反射板１０４および透光パネル１０５を有する。
【０００３】
器具本体１０２は、鉄板等の金属で正方形に形成され、略中央部には天井面１０１に設置された引っ掛けシーリング１０６に着脱可能に設置される取付金具１０７を有する。
光源体１０３は、器具本体１０２の下面における対向する２辺の外縁部に対向して設けられており、器具本体１０２の内側に向かって光を照射する。
反射板１０４は、金属板に白色塗装を施した平板状をなし、中間部分から器具本体１０２の略中央部に向かって連続的に徐々に傾斜させた傾斜面を有する。これにより、光源体１０３からの光を、下方へ反射する。
【０００４】
透光パネル１０５は、透光性を有する乳白色の半透明な合成樹脂で構成し、器具本体１０２の下方から被せることにより、光源体１０３および反射体１０４を覆うように取り付けられる。
透光パネル１０５は、その肉厚を透光パネル１０５の外周部から中央部にいくに従い薄くなるようにして成形して、外周部から中央部にいくに従い透過率が高くなるように構成されている。
【０００５】
従って、光源体１０３から照射された光は、反射板１０４により下方へ反射されて、透光パネル１０５に入射する。
透光パネル１０５では、光源体１０３から遠い位置にある中央部の透過率を、光源体１０３に近い周縁部の透過率より高くなるように構成しているので、透光パネル１０５における輝度ムラを低減する。
【先行技術文献】
【特許文献】
【０００６】
【特許文献１】特開２００８−３００２０３号公報（第１図）
【発明の概要】
【発明が解決しようとする課題】
【０００７】
しかしながら、前述した特許文献１に記載の照明器具１００では、透光パネル１０５の中央部の肉厚を周縁部に比して薄くしているので、輝度ムラを無くして配光を均一にすることができるものの、透光パネル１０５の強度が弱くなるという問題があった。
【０００８】
本発明は、従来の問題を解決するためになされたもので、透光パネルの強度を確保して、配光を均一にすることができる照明器具を提供することを目的とする。
【課題を解決するための手段】
【０００９】
本発明の照明器具は、被取付面に取り付けられる器具本体と、前記器具本体の下面に対向して設けられて前記器具本体の内側に光を照射するＬＥＤ光源と、前記ＬＥＤ光源の光を受けて照明方向へ光を発する透光パネルと、を有し、前記ＬＥＤ光源の光軸を前記透光パネル側に傾け、前記透光パネルにおける前記ＬＥＤ光源の光軸が投影される箇所に拡散部を設けたものである。
【００１０】
また、本発明の照明器具は、前記拡散部は、前記透光パネルにおいて前記ＬＥＤ光源から遠い中央部と前記ＬＥＤ光源に近い端部とで光透過率を変化させたものである。
【００１１】
また、本発明の照明器具は、前記拡散部は凹凸形状により形成されたものである。
【００１２】
また、本発明の照明器具は、前記凹凸形状は、前記透光パネルにおいて前記ＬＥＤ光源から遠い中央部では小さく形成され、前記ＬＥＤ光源に近い端部では大きく形成されたものである。
【００１３】
さらに、本発明の照明器具は、前記凹凸形状は、前記透光パネルの内面に形成されたものである。
【発明の効果】
【００１４】
本発明は、パネルにおけるＬＥＤ光源の光軸が投影される箇所に拡散部を設けたので、透光パネルの強度を確保しつつ、透光パネルを均一に発光させることができるという効果を有する照明器具を提供できる。
【図面の簡単な説明】
【００１５】
【図１】本発明に係る実施形態の照明器具を下方から見た全体斜視図
【図２】本発明に係る実施形態の照明器具を下方から見た分解斜視図
【図３】本発明に係る実施形態の照明器具を中央で切断した断面図
【図４】（Ａ）本発明に係る実施形態の照明器具を上方から見た斜視図であり、（Ｂ）は（Ａ）中Ｂ−Ｂ位置で切断した斜視図
【図５】（Ａ）は図４（Ｂ）中Ｖ部分の拡大斜視図であり、（Ｂ）は（Ａ）中Ｂ部分の拡大斜視図
【図６】透光パネルの内面の斜視図およびその拡大図
【図７】（Ａ）は従来の照明器具の断面図であり、（Ｂ）は照明器具を下方から見た平面図
【発明を実施するための形態】
【００１６】
以下、本発明に係る実施形態の照明器具について、図面を用いて説明する。
なお、以下の説明においては、照明器具を被取付面に取り付けて下方を照明する場合について説明する。従って、特に示す場合を除き、上（上方、上側等）は天井面側を意味し、下（下方，下側等）は床面側を意味する。
【００１７】
図１に示すように、本発明に係る実施形態の照明器具１０は、被取付面である天井面１１等に取り付けられて主に下方を照明するのに適する。
図２および図３に示すように、照明器具１０は、天井面１１に取り付けられている引っ掛けシーリング１２に取り付けるための取付金具２１を中央に有する例えば正方形の板状の器具本体２０を有する。
【００１８】
器具本体２０の上側（すなわち、天井面１１側）には、アッパーユニット３０、上枠３２および上パネル３１が設けられている。器具本体２０の上面２０１における取付金具２１の周囲には、天井面１１との間に介在する複数個のパッキン２２（図４（Ａ）参照）が、上パネル３１の開口部３１１から露出して設けられている。
これにより、天井面１１に取り付けられた器具本体２０のぐらつきを防止している。
また、器具本体２０の下側（すなわち、照明方向側）には、ロアーユニット４０、反射部材である反射板６０が設けられており、反射板６０の下方には、受けた光を拡散する透光性の透光パネル５０が取り付けられる。
【００１９】
アッパーユニット３０は複数のＬＥＤ光源３０１を有しており、外向き四方に光を照射する。
ここでは、器具本体２０の上側に、器具本体２０の四辺と平行に４個のアッパーユニット３０が取り付けられるが、数は限定するものではない。
【００２０】
また、図３に示すように、ロアーユニット４０は、器具本体２０の下面２０２の対向する２辺に沿って、各々２個のロアーユニット４０が設けられているが、数および位置（若しくは配置）は限定するものではない。ロアーユニット４０は、器具本体２０の内側に向かって光を照射する。
ロアーユニット４０は、複数のＬＥＤ光源４１を有する。例えば、細長い矩形断面で、一面が開口した筐体４２内部に、長手方向に沿って複数個のＬＥＤ光源４１を配置したものを用いることができる。
【００２１】
ロアーユニット４０は、ＬＥＤ光源４１の光軸ＬＢを透光パネル５０側に傾けた状態、すなわち水平よりも下向きに取り付けられている。
ロアーユニット４０の筐体４２を傾けて器具保体２０に取り付けることにより、光軸ＬＢを下方に向けることができる。あるいは、筐体４２内部において、ＬＥＤ光源４１を下方に傾けて取り付けることにより、光軸ＬＢを下方に向けることができる。
【００２２】
図２および図３に示すように、器具本体２０の下方（図３において下方）には、器具本体２０より一回り小さい反射板６０が、取り付けられている。反射板６０は、全体矩形状をしており、下方（図２および図３において下方）に尖った略四角錐形状を呈している。
すなわち、反射板６０は、器具本体２０の外縁部に取り付けられているロアーユニット４０の内側に取り付けられており、下面６１は、ロアーユニット４０からの光を下方へ反射する。
【００２３】
ロアーユニット４０および反射板６０の下方には、透光パネル５０が着脱可能に取り付けられる。透光パネル５０は、反射板６０から反射して入射した光により発光して、照明方向である下方へ光を拡散するものであり、複数箇所に、光透過率が低いパネルカバー５１を設けられている。
【００２４】
図１に示すように、パネルカバー５１は、透光パネル５０において器具本体２０の中心に対して対称な端部付近の対向する２辺に沿って設けられている。図３に示すように、パネルカバー５１は、ロアーユニット４０が設けられている位置に対応して設けられており、ロアーユニット４０が透光パネル５０に映って影になるのを防止している。
また、パネルカバー５１には、第１の孔５２および第２の孔５３が設けられており、第１の孔５２または第２の孔５３の内側には、明るさセンサ、人感センサ、熱センサ、信号送信装置からの信号を受信するための受信センサ等が配設可能になっている。
【００２５】
図４および図５に示すように、透光パネル５０におけるロアーユニット４０のＬＥＤ光源４１の光軸ＬＢが投影される箇所には、拡散部５４が設けられている。
拡散部５４は、透光パネル５０においてロアーユニット４０から遠い中央部５０１と、ロアーユニット４０に近い端部５０２とで光透過率が異なる。
すなわち、透光パネル５０の中央部５０１における光透過率は、透光パネル５０の端部５０２における光透過率よりも大きく設定している。
【００２６】
図６に示すように、拡散部５４は、ロアーユニット４０の長手方向沿って平行に形成された凹凸形状（凹凸部）により構成されている。透光パネル５０の中央部５０１（中心点ＣＰ）における凹凸部５４１は、透光パネル５０の端部５０２における凹凸部５４２よりも小さな凹凸が形成されている。
なお、ここでは、中央部の凹凸部５４１と、端部の凹凸部５４２との間に、凹凸部５４１と凹凸部５４２との間の大きさを有する途中の凹凸部５４３を設けて、３段階で変化させているが、これに限らない。例えば、３段階以上に変化させることもできる。さらに、中央部５０１から端部５０２に向かって、連続的に凹凸の大きさを変えるようにすることもできる。
【００２７】
これにより、透光パネル５０の中央部５０１における光透過率を、端部５０２における光透過率よりも大きく設定している。
なお、凹凸部５４１、５４２は、透光パネル５０の内面に形成するのが望ましい。
また、図５（Ｂ）においては、凹凸形状として、山型（三角形）を例示しているが、これに限るものではない。例えば、半円形状や、矩形状でも可能である。
【００２８】
以上、説明した本発明に係る実施形態の照明器具１０によれば、器具本体２０の下面２０２に対向して設けられているロアーユニット４０のＬＥＤ光源４１から、器具本体２０の内側に向けて照射される光軸ＬＢを、透光パネル５０側に傾けた。
そして、透光パネル５０の板厚を変えず、透光パネル５０におけるＬＥＤ光源４１の光軸ＬＢが投影される箇所に拡散部５４を設けたので、透光パネル５０の強度を確保しつつ、透光パネル５０を均一に発光させることができる。
【００２９】
また、拡散部５４は、透光パネル５０においてＬＥＤ光源４１から遠い中央部５０１とＬＥＤ光源４１に近い端部５０２とで光透過率を変化させたので、透光パネル５０における発光を均一化できる。
【００３０】
また、拡散部５４に凹凸部５４１，５４２，５４３を設けたので、透光パネル５０の肉厚を変えることなく、中央部５０１と端部５０２とで光透過率を変えることができ、透光パネル５０の強度を確保できる。
【００３１】
また、凹凸部５４１，５４２，５４３を、透光パネル５０においてＬＥＤ光源４１から遠い中央部５０１では小さく形成し、ＬＥＤ光源４１に近い端部５０２では大きく形成したので、中央部５０１と端部５０２とで光透過率を変えることができる。
【００３２】
さらに、凹凸部５４１，５４２，５４３を透光パネル５０の内面に形成したので、透光パネル５０の外面は平に形成することができる。
これにより、照明器具１０の外観を損ねることなく、光透過率を変化させて発光を均一化できる。
【００３３】
なお、本発明の照明器具は、前述した実施形態に限定されるものでなく、適宜な変形，改良等が可能である。
【符号の説明】
【００３４】
１０  照明器具
１１  天井面（被取付面）
２０  器具本体
２０２  下面
４１  ＬＥＤ光源
５０  透光パネル
５０１  中央部
５０２  端部
５４  拡散部
５４１，５４２  凹凸部（凹凸形状）
ＬＢ  光軸
【図１】
2012178318.tif 000003
【図２】
2012178318.tif 000004
【図３】
2012178318.tif 000005
【図４】
2012178318.tif 000006
【図５】
2012178318.tif 000007
【図６】
2012178318.tif 000008
【図７】
2012178318.tif 000009